(57)【要約】【課題】  家具本体内の収容空間とケージ枠の延長収容空間とを段差なく安定形成できるようにする。【解決手段】  天板３と左右側板４と背板５とを有して内部に収容空間７を形成した家具本体６と、左右側枠部９と前枠部１０とを有していて収容空間７内に収納されかつ前方突出して延長収容空間７Ｅを形成するケージ枠Ａとを備える。家具本体の左右側板の内面下端に、下面１１ａが家具本体６の床面に面接しかつ上面にレール面１１ｂが形成されたレール部材１１を設け、ケージ枠の左右側枠部の下後部にレール部材のレール面を移動する移動体１２を設けるとともに、ケージ枠の左右側枠部の下前部にレール部材の前方で床面に接する移動ガイド１３を設ける。ケージ枠の左右側枠部の上部と天板の下面との間に、ケージ枠が前方突出されたときに突出位置Ｐを設定する位置決め手段１５を設ける。【選択図】図１
2019092449.tif 000002
【特許請求の範囲】
【請求項１】
天板（３）と左右側板（４）と背板（５）とを有して内部に収容空間（７）を形成した家具本体（６）と、左右側枠部（９）と前枠部（１０）とを有していて前記収容空間（７）内に収納されかつ前方突出して延長収容空間（７Ｅ）を形成するケージ枠（Ａ）とを備えたペット収容家具であって、
前記家具本体（６）の左右側板（４）の内面下端に、下面（１１ａ）が家具本体（６）の床面に面接しかつ上面にレール面（１１ｂ）が形成されたレール部材（１１）を設け、ケージ枠（Ａ）の左右側枠部（９）の下後部にレール部材（１１）のレール面（１１ｂ）を移動する移動体（１２）を設けるとともに、ケージ枠（Ａ）の左右側枠部（９）の下前部にレール部材（１１）の前方で床面に接する移動ガイド（１３）を設けており、
前記ケージ枠（Ａ）の左右側枠部（９）の上部と天板（３）の下面との間に、ケージ枠（Ａ）が前方突出されたときに突出位置（Ｐ）を設定する位置決め手段（１５）を設けていることを特徴とするペット収容家具。
【請求項２】
前記位置決め手段（１５）は、左右側枠部（９）の後上部に設けられた上方突出状の突起部材（１６）と、前記天板（３）の左右両端の前部に形成されていて前記突起部材（１６）が係合可能な係合部（１７）とを有することを特徴とする請求項１に記載のペット収容家具。
【請求項３】
前記ケージ枠（Ａ）は前枠部（１０）に出入口（１９）を形成し、この出入口（１９）を開閉する扉（２０）を設けていることを特徴とする請求項１又は２に記載のペット収容家具。
【請求項４】
前記ケージ枠（Ａ）の左右側枠部（９）の上後部を連結材（２１）で連結していることを特徴とする請求項１〜３のいずれか１項に記載のペット収容家具。
【請求項５】
前記ケージ枠（Ａ）の左右側枠部（９）と前枠部（１０）の内の少なくとも一方は、一対の縦材（Ｌ）の上下端部をそれぞれ上下横材（Ｈ）で連結し、複数本の平行な棒材（Ｓ）を一対の縦材（Ｌ）間で上下横材（Ｈ）に着脱自在に連結していることを特徴とする請求項１〜４のいずれか１項に記載のペット収容家具。
【発明の詳細な説明】
【技術分野】
【０００１】
本発明は、ペット収容ケージ枠を備えたペット収容家具に関する。
【背景技術】
【０００２】
犬、猫等のペットを飼育可能にしたペット収容家具として、特許文献１のサークル一体型ペット家具は、六面体の中空の箱の前面に、犬の出入り用の穴を明けたペット家具（犬舎）と、コの字型の三面構造のサークル（ケージ）の二つの構造物を、接続用具を使用する事により一体化させた構造物、ワンタッチでサークルをペット家具本体前に設置したり、ワンタッチで本体に収納することが出来るように構成している（請求項１）。
【０００３】
また、特許文献２のペット収容用小屋は、天板、底板及び両側板から構成される函体の前方開口部に扉を開閉自在に蝶着した小屋であって、函体の底板に左右一対のレールを敷設し、同レールに案内されて前後に摺動する棚板を設け、同棚板上にペット収容用のケージを載置するように構成している（請求項１）。
【先行技術文献】
【特許文献】
【０００４】
【特許文献１】実用新案登録第３０９１５４６号公報
【特許文献２】特開２０００−４１５１７号公報
【発明の概要】
【発明が解決しようとする課題】
【０００５】
前記両従来技術は、ペット小屋からサークル（ケージ）を前方突出させることにより、小屋の前面にペット用の延長収容空間を形成できるが、小屋内にはサークル（ケージ）を受持するための底板があり、小屋内の収容空間の底と前面の延長収容空間の底との間に段差が形成されており、ペットの居住性を低下させている。また、サークル（ケージ）を前方突出させたときに、ペットの動きによってサークル（ケージ）の突出位置が不本意に変化する可能性があり、居住安定性を高くするのが困難になっている。
【０００６】
本発明は、このような従来技術の問題点を解決できるようにしたペット収容家具を提供することを目的とする。
本発明は、左右側板の内面下端にレール部材を設け、ケージ枠の左右側枠部の下部に移動体と移動ガイドとを設け、ケージ枠の左右側枠部の上部と天板の下面との間に位置決め手段を設けることにより、家具本体内の収容空間とケージ枠の延長収容空間とを段差なく形成でき、ケージ枠を突出位置で安定保持できるようにしたペット収容家具を提供することを目的とする。
【課題を解決するための手段】
【０００７】
本発明における課題解決のための具体的手段は、次の通りである。
第１に、天板３と左右側板４と背板５とを有して内部に収容空間７を形成した家具本体６と、左右側枠部９と前枠部１０とを有していて前記収容空間７内に収納されかつ前方突出して延長収容空間７Ｅを形成するケージ枠Ａとを備えたペット収容家具であって、
前記家具本体６の左右側板４の内面下端に、下面１１ａが家具本体６の床面に面接しかつ上面にレール面１１ｂが形成されたレール部材１１を設け、ケージ枠Ａの左右側枠部９の下後部にレール部材１１のレール面１１ｂを移動する移動体１２を設けるとともに、ケージ枠Ａの左右側枠部９の下前部にレール部材１１の前方で床面に接する移動ガイド１３を設けており、
前記ケージ枠Ａの左右側枠部９の上部と天板３の下面との間に、ケージ枠Ａが前方突出されたときに突出位置Ｐを設定する位置決め手段１５を設けていることを特徴とする。
【０００８】
第２に、前記位置決め手段１５は、左右側枠部９の後上部に設けられた上方突出状の突起部材１６と、前記天板３の左右両端の前部に形成されていて前記突起部材１６が係合可能な係合部１７とを有することを特徴とする。
第３に、前記ケージ枠Ａは前枠部１０に出入口１９を形成し、この出入口１９を開閉する扉２０を設けていることを特徴とする。
【０００９】
第４に、前記ケージ枠Ａの左右側枠部９の上後部を連結材２１で連結していることを特徴とする。
第５に、前記ケージ枠Ａの左右側枠部９と前枠部１０の内の少なくとも一方は、一対の縦材Ｌの上下端部をそれぞれ上下横材Ｈで連結し、複数本の平行な棒材Ｓを一対の縦材Ｌ間で上下横材Ｈに着脱自在に連結していることを特徴とする。
【発明の効果】
【００１０】
本発明によれば、家具本体内の収容空間とケージ枠の延長収容空間とを段差なく安定形成できる。
即ち、請求項１に係る発明は、家具本体６の左右側板４の内面下端に、下面１１ａが家具本体６の床面に面接するレール部材１１を設け、ケージ枠Ａの左右側枠部９の下部に移動体１２と移動ガイド１３とを設けているので、家具本体６には底板を省略でき、よって家具本体６内の収容空間７とケージ枠Ａの延長収容空間７Ｅとを段差なく形成でき、ケージ枠Ａの出退移動も円滑にでき、しかも、ケージ枠Ａの左右側枠部９の上部と天板３の下面との間に、ケージ枠Ａが前方突出されたときに突出位置Ｐを設定する位置決め手段１５を設けているので、ケージ枠Ａによる延長収容空間７Ｅを安定形成しておくことができる。
【００１１】
請求項２に係る発明は、位置決め手段１５が、左右側枠部９の後上部の突起部材１６と、天板３の左右両端の前部に形成された係合部１７とを有するので、ケージ枠Ａの出退移動が円滑にでき、かつケージ枠Ａを突出位置Ｐに確実に保持でき、延長収容空間７Ｅを安定形成しておくことができる。
請求項３に係る発明は、ケージ枠Ａには前枠部１０に出入口１９を形成して扉２０を設けているので、延長収容空間７Ｅへのペットの出入が容易にできる。
【００１２】
請求項４に係る発明は、ケージ枠Ａの左右側枠部９の上後部を連結材２１で連結しているので、ケージ枠Ａの保形強度を向上できる。
請求項５に係る発明は、ケージ枠Ａの左右側枠部９と前枠部１０の内の少なくとも一方は、一対の縦材Ｌ間の棒材Ｓが上下横材Ｈに着脱自在に連結されているので、それ自体の清掃、棒材Ｓの取り替え等が容易になる。
【図面の簡単な説明】
【００１３】
【図１】本発明の実施形態を示すケージ枠突出状態の斜視図である。
【図２】ケージ枠収納状態の斜視図である。
【図３】ケージ枠収納状態の断面側面図である。
【図４】ケージ枠収納状態の断面平面図である。
【図５】ケージ枠収納状態の断面正面図である。
【図６】家具本体とケージ枠の分割斜視図である。
【発明を実施するための形態】
【００１４】
以下、本発明の実施の形態を図面に基づいて説明する。
図１〜６において、ペット収容家具１は天板３と左右側板４と背板５とで家具本体６を形成し、かつその内部に収容空間７を形成し、この収容空間７内にケージ枠Ａを収納している。
前記家具本体６は天板３の上側に中間板３ａと頂板２２とを配置し、それらの左右両端を左右側板４に連結し、中間板３ａと頂板２２との間に左右一対の仕切り板２３を設け、左右仕切り板２３の上下中間を区画板２４で区画しており、左右各側板４と左右各仕切り板２３との間を扉２５で開閉する小物入れ２６とし、左右仕切り板２３間の区画板２４の上下の区画に引き出し２７を挿入している。
【００１５】
家具本体６には底板は設けられていなく、収容空間７の底はペット収容家具１が接地される床面になっており、収容空間７内に収納されているケージ枠Ａは、底板がなく、底が床面となっており、収容空間７から前方へ突出展開することにより、ペットを飼育する延長収容空間７Ｅを形成するケージとなるものである。
前記ケージ枠Ａは、左右側枠部９と前枠部１０とを有しており、前記左右側枠部９は、前後一対の縦材Ｌの上下端部をそれぞれ上下横材Ｈで連結し、複数本の平行な棒材Ｓを一
対の縦材Ｌ間で上下横材Ｈに着脱自在に連結している。棒材Ｓは細い線材又はパイプ材で形成され、図５に示されるように、上下横材Ｈの対向面に形成された孔２８に挿入されている。棒材Ｓは下部に鍔Ｓａを有しており、上端を上横材Ｈの孔２８に挿入してから下端を下横材Ｈの孔２８に挿入することにより、上下横材Ｈに装着される。
【００１６】
ケージ枠Ａの前枠部１０は、左右と中間の３本の縦材Ｌの上下端部をそれぞれ上下横材Ｈで連結し、中間縦材Ｌと左右一端の縦材Ｌとの間に複数本の平行な棒材Ｓを配置し、この棒材Ｓの上下端部を上下横材Ｈに着脱自在に連結している。
中間縦材Ｌと左右他端の縦材Ｌとの間には出入口１９が形成されており、この出入口１９には開閉用の扉２０が設けられている。この扉２０は一対の縦材Ｌの上下端部をそれぞれ上下横材Ｈで連結し、複数本の平行な棒材Ｓを一対の縦材Ｌ間で上下横材Ｈに着脱自在に連結している。
【００１７】
扉２０の基部は前記他端の縦材Ｌに蝶番Ｔを介して枢支され、扉２０の自由端と中間縦材Ｌとの間にはスライド錠３１が設けられている。このスライド錠３１の代わりに打掛でもよい。
前記ケージ枠Ａは、左右側枠部９の上後部が連結材２１で連結されており、下部は左右側枠部９と前枠部１０とで平面視コ字形状であるが、上部は連結材２１が加わって平面視四角形となり、ケージ枠Ａの保形強度を高くしている。
【００１８】
ケージ枠Ａの左右側枠部９は、下後部に移動体１２が設けられ、下前部に移動ガイド１３が設けられている。
前記家具本体６の左右側板４の内面下端には、下面１１ａが家具本体６の床面に面接しかつ上面にレール面１１ｂが形成されたレール部材１１を設けられている。左右側板４の下部間には底板が存在しないので、レール部材１１の下面１１ａは床面に直接面接している。
【００１９】
レール部材１１のレール面１１ｂは断面Ｖ字状の溝によって形成されており、ケージ枠Ａの下後部の移動体１２は球体（又は半球体）を有し、この球体がレール部材１１のレール面１１ｂに載置され移動可能になっている。
ケージ枠Ａの下前部の移動ガイド１３は車輪で形成され、レール面１１ｂには載置されることはなく、レール部材１１の前方で床面に接して転動する。ケージ枠Ａは収容空間７に収納されるとき、移動ガイド１３は左右側板４の内側に入るので、移動ガイド１３が収納できるように、レール部材１１の先端は側板４の先端より奥側に後退している。
【００２０】
ケージ枠Ａの左右側枠部９は、左右側枠部９の上部と天板３の下面との間に、ケージ枠Ａが前方突出されたときに突出位置Ｐを設定する位置決め手段１５が設けられている。
この位置決め手段１５は、左右側枠部９の後上部に設けられた上方突出状の突起部材１６と、前記天板３の左右両端の前部に形成されていて前記突起部材１６が係合可能な係合部１７とを有する。
【００２１】
前記突起部材１６はその下方に設けたバネ等の付勢部材によって上向きに弾力突出可能になっており、ケージ枠Ａの左右側枠部９が収容空間７の奥側で移動するとき、突起部材１６は天板３の下面に弾力的に当接し、収容空間７の前側に来たとき、弾力的に突出して係合部１７と係合する。
前記突起部材１６には指掛け部１６ａが設けられており、この指掛け部１６ａに指を掛けて付勢部材に抗して下げると、突起部材１６は係合部１７から離脱でき、突起部材１６を係合部１７から離脱することにより、ケージ枠Ａを収容空間７内に収納することが可能になる。
【００２２】
なお、本発明は前記実施形態に限定されるものではなく、部材の形状、構成及び組み合わせ等を変更したりすることもできる。
例えば、ケージ枠Ａは、左右各側枠部９と前枠部１０とは少なくとも一方が棒材Ｓを有してケージ枠Ａ内を見られるようにしておけばよく、棒材Ｓを使用しない部分は、一対の縦材Ｌと上下横材Ｈで囲まれる空間に、板材、ガラス板又は格子材等を嵌め込んで形成する。
【００２３】
ケージ枠Ａの前枠部１０は、一対の縦材Ｌとそれを連結する上下横材Ｈで枠を形成し、
その枠内に左右一対の扉を観音開き可能に設けてもよい。
また、ケージ枠Ａの前枠部１０の周囲、特に上部の上横材Ｈは側枠部９より上方に突出していて、収容空間７への収納時に天板３と当接するようになっているが、上横材Ｈが天板３の下側に入るように構成してもよい。
【００２４】
家具本体６は左右側板４の側方に引き出しや物品収納部を形成してもよく、また、中間板３ａ、頂板２２、仕切り板２３等を割愛してもよい。
【符号の説明】
【００２５】
１        ペット収容家具
３        天板
３ａ      中間板
４        側板
５        背板
６        家具本体
７        収容空間
７Ｅ      延長収容空間
９        側枠部
１０      前枠部
１１      レール部材
１１ａ    下面
１１ｂ    レール面
１２      移動体
１３      移動ガイド
１５      位置決め手段
１６      突起部材
１７      係合部
１９      出入口
２０      扉
２１      連結材
Ａ        ケージ枠
Ｈ        上下横材
Ｌ        縦材
Ｐ        突出位置
Ｓ        棒材
【図１】
2019092449.tif 000003
【図２】
2019092449.tif 000004
【図３】
2019092449.tif 000005
【図４】
2019092449.tif 000006
【図５】
2019092449.tif 000007
【図６】
2019092449.tif 000008
【手続補正書】
【提出日】平成31年1月30日(2019.1.30)
【手続補正１】
【補正対象書類名】特許請求の範囲
【補正対象項目名】全文
【補正方法】変更
【補正の内容】
【特許請求の範囲】
【請求項１】
天板（３）と左右側板（４）と背板（５）とを有して内部に収容空間（７）を形成した家具本体（６）と、左右側枠部（９）と前枠部（１０）とを有していて前記収容空間（７）内に収納されかつ前方突出して延長収容空間（７Ｅ）を形成するケージ枠（Ａ）とを備えたペット収容家具であって、
前記家具本体（６）の左右側板（４）の内面下端に、下面（１１ａ）が家具本体（６）を接地する床面に面接しかつ上面にレール面（１１ｂ）が形成されたレール部材（１１）を設け、ケージ枠（Ａ）の左右側枠部（９）の下後部にレール部材（１１）のレール面（１１ｂ）に載置されて移動する移動体（１２）を設けるとともに、ケージ枠（Ａ）の左右側枠部（９）の下前部にレール部材（１１）の前方で床面に接する移動ガイド（１３）を設けており、
前記ケージ枠（Ａ）の左右側枠部（９）の上部と天板（３）の下面との間に、ケージ枠（Ａ）が前方突出されたときに突出位置（Ｐ）を設定する位置決め手段（１５）を設けており、
前記ケージ枠（Ａ）の前枠部（１０）は、左右一対の縦材（Ｌ）の上下端部をそれぞれ上下横材（Ｈ）で連結しており、前記上横材（Ｈ）はケージ枠（Ａ）が収容空間（７）内に収納された時に前記天板（３）の前面に当接する位置まで側枠部（９）の上縁より上方に突出され、前記下横材（Ｈ）は側枠部（９）の下前部の移動ガイド（１３）の前方を覆う位置まで側枠部（９）の下縁より下方に突出されていることを特徴とするペット収容家具。
【請求項２】
前記ケージ枠（Ａ）の左右側枠部（９）は、前後一対の縦材（Ｌ）の上下端部をそれぞれ上下横材（Ｈ）で連結しており、前記左右下横材（Ｈ）はレール部材（１１）のレール面（１１ｂ）の真上に位置しており、
前記位置決め手段（１５）は、左右側枠部（９）の後上部に設けられた上方突出状の突起部材（１６）と、前記天板（３）の左右両端の前部に形成されていて前記突起部材（１６）が係合可能な係合部（１７）とを有しており、
前記突起部材（１６）及び係合部（１７）は前記左右側枠部（９）の左右上横材（Ｈ）の真上に位置していることを特徴とする請求項１に記載のペット収容家具。
【請求項３】
前記ケージ枠（Ａ）の前枠部（１０）は、左右一対の縦材（Ｌ）の中間にも縦材（Ｌ）を有し、この中間の縦材（Ｌ）と左右一方の縦材（Ｌ）との間に出入口（１９）を形成し、この出入口（１９）を開閉する扉（２０）を前記左右一方の縦材（Ｌ）に設けていることを特徴とする請求項１又は２に記載のペット収容家具。
【請求項４】
前記ケージ枠（Ａ）の左右側枠部（９）の上後部を連結材（２１）で連結しており、この連結材（２１）は側枠部（９）の上横材（Ｈ）の後端部とそれに連結された後側の縦材（Ｌ）の上端部と連結していることを特徴とする請求項２に記載のペット収容家具。
【請求項５】
前記ケージ枠（Ａ）の左右側枠部（９）と前枠部（１０）の内の少なくとも一方は、一対の縦材（Ｌ）の上下端部をそれぞれ上下横材（Ｈ）で連結し、複数本の平行な棒材（Ｓ）を一対の縦材（Ｌ）間で上下横材（Ｈ）に着脱自在に連結しており、
前記上下横材（Ｈ）の対向面には棒材（Ｓ）の上下端部を挿入する孔（２８）を形成しており、棒材（Ｓ）の下部に下横材（Ｈ）の上面と当接して棒材（Ｓ）の高さを設定する鍔（Ｓａ）を設けていることを特徴とする請求項１〜４のいずれか１項に記載のペット収容家具。
【手続補正２】
【補正対象書類名】明細書
【補正対象項目名】全文
【補正方法】変更
【補正の内容】
【発明の詳細な説明】
【技術分野】
【０００１】
本発明は、ペット収容ケージ枠を備えたペット収容家具に関する。
【背景技術】
【０００２】
犬、猫等のペットを飼育可能にしたペット収容家具として、特許文献１のサークル一体型ペット家具は、六面体の中空の箱の前面に、犬の出入り用の穴を明けたペット家具（犬舎）と、コの字型の三面構造のサークル（ケージ）の二つの構造物を、接続用具を使用する事により一体化させた構造物、ワンタッチでサークルをペット家具本体前に設置したり、ワンタッチで本体に収納することが出来るように構成している（請求項１）。
【０００３】
また、特許文献２のペット収容用小屋は、天板、底板及び両側板から構成される函体の前方開口部に扉を開閉自在に蝶着した小屋であって、函体の底板に左右一対のレールを敷設し、同レールに案内されて前後に摺動する棚板を設け、同棚板上にペット収容用のケージを載置するように構成している（請求項１）。
【先行技術文献】
【特許文献】
【０００４】
【特許文献１】実用新案登録第３０９１５４６号公報
【特許文献２】特開２０００−４１５１７号公報
【発明の概要】
【発明が解決しようとする課題】
【０００５】
前記両従来技術は、ペット小屋からサークル（ケージ）を前方突出させることにより、小屋の前面にペット用の延長収容空間を形成できるが、小屋内にはサークル（ケージ）を受持するための底板があり、小屋内の収容空間の底と前面の延長収容空間の底との間に段差が形成されており、ペットの居住性を低下させている。また、サークル（ケージ）を前方突出させたときに、ペットの動きによってサークル（ケージ）の突出位置が不本意に変化する可能性があり、居住安定性を高くするのが困難になっている。
【０００６】
本発明は、このような従来技術の問題点を解決できるようにしたペット収容家具を提供することを目的とする。
本発明は、左右側板の内面下端にレール部材を設け、ケージ枠の左右側枠部の下部に移動体と移動ガイドとを設け、ケージ枠の左右側枠部の上部と天板の下面との間に位置決め手段を設けることにより、家具本体内の収容空間とケージ枠の延長収容空間とを段差なく形成でき、ケージ枠を突出位置で安定保持できるようにしたペット収容家具を提供することを目的とする。
【課題を解決するための手段】
【０００７】
本発明における課題解決のための具体的手段は、次の通りである。
第１に、天板３と左右側板４と背板５とを有して内部に収容空間７を形成した家具本体６と、左右側枠部９と前枠部１０とを有していて前記収容空間７内に収納されかつ前方突出して延長収容空間７Ｅを形成するケージ枠Ａとを備えたペット収容家具であって、
前記家具本体６の左右側板４の内面下端に、下面１１ａが家具本体６を接地する床面に面接しかつ上面にレール面１１ｂが形成されたレール部材１１を設け、ケージ枠Ａの左右側枠部９の下後部にレール部材１１のレール面１１ｂに載置されて移動する移動体１２を設けるとともに、ケージ枠Ａの左右側枠部９の下前部にレール部材１１の前方で床面に接する移動ガイド１３を設けており、
前記ケージ枠Ａの左右側枠部９の上部と天板３の下面との間に、ケージ枠Ａが前方突出されたときに突出位置Ｐを設定する位置決め手段１５を設けており、
前記ケージ枠Ａの前枠部１０は、左右一対の縦材Ｌの上下端部をそれぞれ上下横材Ｈで連結しており、前記上横材Ｈはケージ枠Ａが収容空間７内に収納された時に前記天板３の前面に当接する位置まで側枠部９の上縁より上方に突出され、前記下横材Ｈは側枠部９の下前部の移動ガイド１３の前方を覆う位置まで側枠部９の下縁より下方に突出されていることを特徴とする。
【０００８】
第２に、前記ケージ枠Ａの左右側枠部９は、前後一対の縦材Ｌの上下端部をそれぞれ上下横材Ｈで連結しており、前記左右下横材Ｈはレール部材１１のレール面１１ｂの真上に位置しており、
前記位置決め手段１５は、左右側枠部９の後上部に設けられた上方突出状の突起部材１６と、前記天板３の左右両端の前部に形成されていて前記突起部材１６が係合可能な係合部１７とを有しており、
前記突起部材１６及び係合部１７は前記左右側枠部９の左右上横材Ｈの真上に位置していることを特徴とする。
【０００９】
第３に、前記ケージ枠Ａの前枠部１０は、左右一対の縦材Ｌの中間にも縦材Ｌを有し、この中間の縦材Ｌと左右一方の縦材Ｌとの間に出入口１９を形成し、この出入口１９を開閉する扉２０を前記左右一方の縦材Ｌに設けていることを特徴とする。
第４に、前記ケージ枠Ａの左右側枠部９の上後部を連結材２１で連結しており、この連結材２１は側枠部９の上横材Ｈの後端部とそれに連結された後側の縦材Ｌの上端部と連結していることを特徴とする。
【００１０】
第５に、前記ケージ枠Ａの左右側枠部９と前枠部１０の内の少なくとも一方は、一対の縦材Ｌの上下端部をそれぞれ上下横材Ｈで連結し、複数本の平行な棒材Ｓを一対の縦材Ｌ間で上下横材Ｈに着脱自在に連結しており、
前記上下横材Ｈの対向面には棒材Ｓの上下端部を挿入する孔２８を形成しており、棒材Ｓの下部に下横材Ｈの上面と当接して棒材Ｓの高さを設定する鍔Ｓａを設けていることを特徴とする。
【発明の効果】
【００１１】
本発明によれば、家具本体内の収容空間とケージ枠の延長収容空間とを段差なく安定形成できる。
即ち、請求項１に係る発明は、家具本体６の左右側板４の内面下端に、下面１１ａが家具本体６の床面に面接するレール部材１１を設け、ケージ枠Ａの左右側枠部９の下部に移動体１２と移動ガイド１３とを設けているので、家具本体６には底板を省略でき、よって家具本体６内の収容空間７とケージ枠Ａの延長収容空間７Ｅとを段差なく形成でき、ケージ枠Ａの出退移動も円滑にでき、ペットの身体と接触し難い高さで家具本体６の左右側板４の下部の強度を向上でき、しかも、ケージ枠Ａの左右側枠部９の上部と天板３の下面との間に、ケージ枠Ａが前方突出されたときに突出位置Ｐを設定する位置決め手段１５を設けているので、ケージ枠Ａによる延長収容空間７Ｅを安定形成しておくことができる。
【００１２】
また、前枠部１０の上横材Ｈは天板３の前面に当接する位置まで側枠部９の上縁より上方に突出されているので、ケージ枠Ａが収容空間７内に収納された時に、前枠部１０の上部と天板３の下面との間の隙間を塞ぎ、収容空間７内へのゴミ、ホコリの侵入を防ぎ、収容空間７内からの獣臭の放散を規制することができ、さらに、前枠部１０の下横材Ｈは側枠部９の下前部の移動ガイド１３の前方を覆う位置まで側枠部９の下縁より下方に突出されているので、ケージ枠Ａが収容空間７内に収納された時に、収容空間７の下部の隙間を塞ぎ、収容空間７内及び移動ガイド１３の前側へのゴミ、ホコリの侵入を防ぐことができる。
【００１３】
請求項２に係る発明は、位置決め手段１５が、左右側枠部９の後上部の突起部材１６と、天板３の左右両端の前部に形成された係合部１７とを有するので、ケージ枠Ａの出退移動が円滑にでき、かつケージ枠Ａを突出位置Ｐに確実に保持でき、延長収容空間７Ｅを安定形成しておくことができる。
また、ケージ枠Ａの左右側枠部９の左右下横材Ｈはレール部材１１のレール面１１ｂの真上に位置しているので、レール部材１１に支えられてケージ枠Ａの出退移動が円滑にでき、さらに、突起部材１６及び係合部１７は左右側枠部９の左右上横材Ｈの真上に位置しているので、左右側枠部９は左右方向の突出部がなく、直下直上で移動案内及び位置決めができる。
【００１４】
請求項３に係る発明は、ケージ枠Ａの前枠部１０は、左右一対の縦材Ｌとその中間に縦材Ｌを有し、この中間の縦材Ｌと左右一方の縦材Ｌとの間に出入口１９を形成し、この出入口１９を開閉する扉２０を前記左右一方の縦材Ｌに設けているので、扉２０を強固に支持でき、延長収容空間７Ｅへのペットの出入が容易にできる。
請求項４に係る発明は、ケージ枠Ａの左右側枠部９の上後部を連結材２１で連結しており、この連結材２１は側枠部９の上横材Ｈの後端部とそれに連結された後側の縦材Ｌの上端部と連結しているので、ケージ枠Ａの保形強度を向上できる。
【００１５】
請求項５に係る発明は、ケージ枠Ａの左右側枠部９と前枠部１０の内の少なくとも一方は、一対の縦材Ｌ間の棒材Ｓが上下横材Ｈに着脱自在に連結されているので、それ自体の清掃、棒材Ｓの取り替え等が容易になる。
また、上下横材Ｈの対向面には棒材Ｓの上下端部を挿入する孔２８を形成しており、棒材Ｓの下部に下横材Ｈの上面と当接して棒材Ｓの高さを設定する鍔Ｓａを設けているので、棒材Ｓの着脱が可能になるとともに全棒材Ｓを一定高さに装着しておくことができる。
【図面の簡単な説明】
【００１６】
【図１】本発明の実施形態を示すケージ枠突出状態の斜視図である。
【図２】ケージ枠収納状態の斜視図である。
【図３】ケージ枠収納状態の断面側面図である。
【図４】ケージ枠収納状態の断面平面図である。
【図５】ケージ枠収納状態の断面正面図である。
【図６】家具本体とケージ枠の分割斜視図である。
【発明を実施するための形態】
【００１７】
以下、本発明の実施の形態を図面に基づいて説明する。
図１〜６において、ペット収容家具１は天板３と左右側板４と背板５とで家具本体６を形成し、かつその内部に収容空間７を形成し、この収容空間７内にケージ枠Ａを収納している。
前記家具本体６は天板３の上側に中間板３ａと頂板２２とを配置し、それらの左右両端を左右側板４に連結し、中間板３ａと頂板２２との間に左右一対の仕切り板２３を設け、左右仕切り板２３の上下中間を区画板２４で区画しており、左右各側板４と左右各仕切り板２３との間を扉２５で開閉する小物入れ２６とし、左右仕切り板２３間の区画板２４の上下の区画に引き出し２７を挿入している。
【００１８】
家具本体６には底板は設けられていなく、収容空間７の底はペット収容家具１が接地される床面になっており、収容空間７内に収納されているケージ枠Ａは、底板がなく、底が床面となっており、収容空間７から前方へ突出展開することにより、ペットを飼育する延長収容空間７Ｅを形成するケージとなるものである。
前記ケージ枠Ａは、左右側枠部９と前枠部１０とを有しており、前記左右側枠部９は、前後一対の縦材Ｌの上下端部をそれぞれ上下横材Ｈで連結し、複数本の平行な棒材Ｓを一対の縦材Ｌ間で上下横材Ｈに着脱自在に連結している。棒材Ｓは細い線材又はパイプ材で形成され、図５に示されるように、上下横材Ｈの対向面に形成された孔２８に挿入されている。棒材Ｓは下部に鍔Ｓａを有しており、上端を上横材Ｈの孔２８に挿入してから下端を下横材Ｈの孔２８に挿入することにより、上下横材Ｈに装着される。
【００１９】
ケージ枠Ａの前枠部１０は、左右と中間の３本の縦材Ｌの上下端部をそれぞれ上下横材Ｈで連結し、中間縦材Ｌと左右一端の縦材Ｌとの間に複数本の平行な棒材Ｓを配置し、この棒材Ｓの上下端部を上下横材Ｈに着脱自在に連結している。
中間縦材Ｌと左右他端の縦材Ｌとの間には出入口１９が形成されており、この出入口１９には開閉用の扉２０が設けられている。この扉２０は一対の縦材Ｌの上下端部をそれぞれ上下横材Ｈで連結し、複数本の平行な棒材Ｓを一対の縦材Ｌ間で上下横材Ｈに着脱自在に連結している。
【００２０】
扉２０の基部は前記他端の縦材Ｌに蝶番Ｔを介して枢支され、扉２０の自由端と中間縦材Ｌとの間にはスライド錠３１が設けられている。このスライド錠３１の代わりに打掛でもよい。
前記ケージ枠Ａは、左右側枠部９の上後部が連結材２１で連結されており、下部は左右側枠部９と前枠部１０とで平面視コ字形状であるが、上部は連結材２１が加わって平面視四角形となり、ケージ枠Ａの保形強度を高くしている。
【００２１】
ケージ枠Ａの左右側枠部９は、下後部に移動体１２が設けられ、下前部に移動ガイド１３が設けられている。
前記家具本体６の左右側板４の内面下端には、下面１１ａが家具本体６の床面に面接しかつ上面にレール面１１ｂが形成されたレール部材１１を設けられている。左右側板４の下部間には底板が存在しないので、レール部材１１の下面１１ａは床面に直接面接している。
【００２２】
レール部材１１のレール面１１ｂは断面Ｖ字状の溝によって形成されており、ケージ枠Ａの下後部の移動体１２は球体（又は半球体）を有し、この球体がレール部材１１のレール面１１ｂに載置され移動可能になっている。
ケージ枠Ａの下前部の移動ガイド１３は車輪で形成され、レール面１１ｂには載置されることはなく、レール部材１１の前方で床面に接して転動する。ケージ枠Ａは収容空間７に収納されるとき、移動ガイド１３は左右側板４の内側に入るので、移動ガイド１３が収納できるように、レール部材１１の先端は側板４の先端より奥側に後退している。
【００２３】
ケージ枠Ａの左右側枠部９は、左右側枠部９の上部と天板３の下面との間に、ケージ枠Ａが前方突出されたときに突出位置Ｐを設定する位置決め手段１５が設けられている。
この位置決め手段１５は、左右側枠部９の後上部に設けられた上方突出状の突起部材１６と、前記天板３の左右両端の前部に形成されていて前記突起部材１６が係合可能な係合部１７とを有する。
【００２４】
前記突起部材１６はその下方に設けたバネ等の付勢部材によって上向きに弾力突出可能になっており、ケージ枠Ａの左右側枠部９が収容空間７の奥側で移動するとき、突起部材１６は天板３の下面に弾力的に当接し、収容空間７の前側に来たとき、弾力的に突出して係合部１７と係合する。
前記突起部材１６には指掛け部１６ａが設けられており、この指掛け部１６ａに指を掛けて付勢部材に抗して下げると、突起部材１６は係合部１７から離脱でき、突起部材１６を係合部１７から離脱することにより、ケージ枠Ａを収容空間７内に収納することが可能になる。
【００２５】
なお、本発明は前記実施形態に限定されるものではなく、部材の形状、構成及び組み合わせ等を変更したりすることもできる。
例えば、ケージ枠Ａは、左右各側枠部９と前枠部１０とは少なくとも一方が棒材Ｓを有してケージ枠Ａ内を見られるようにしておけばよく、棒材Ｓを使用しない部分は、一対の縦材Ｌと上下横材Ｈで囲まれる空間に、板材、ガラス板又は格子材等を嵌め込んで形成する。
【００２６】
ケージ枠Ａの前枠部１０は、一対の縦材Ｌとそれを連結する上下横材Ｈで枠を形成し、その枠内に左右一対の扉を観音開き可能に設けてもよい。
また、ケージ枠Ａの前枠部１０の周囲、特に上部の上横材Ｈは側枠部９より上方に突出していて、収容空間７への収納時に天板３と当接するようになっているが、上横材Ｈが天板３の下側に入るように構成してもよい。
【００２７】
家具本体６は左右側板４の側方に引き出しや物品収納部を形成してもよく、また、中間板３ａ、頂板２２、仕切り板２３等を割愛してもよい。
【符号の説明】
【００２８】
１        ペット収容家具
３        天板
３ａ      中間板
４        側板
５        背板
６        家具本体
７        収容空間
７Ｅ      延長収容空間
９        側枠部
１０      前枠部
１１      レール部材
１１ａ    下面
１１ｂ    レール面
１２      移動体
１３      移動ガイド
１５      位置決め手段
１６      突起部材
１７      係合部
１９      出入口
２０      扉
２１      連結材
Ａ        ケージ枠
Ｈ        上下横材
Ｌ        縦材
Ｐ        突出位置
Ｓ        棒材